(57)【要約】      （修正有）【課題】異なる作動機構を介して異なる色の液材が排出される多色プレス化粧ペンシルを提供する。【解決手段】多色プレス化粧用ペンシルは、円筒形のペン本体１、ペン本体の先端に取り付けられたペン先２、およびペン本体の末端に取り付けられた少なくとも２セットの作動機構を含み、各作動機構には、ボタン３、ツメ４、ツメ車５、スクリュー棒６、ナット７、ピストン８、およびスプリング９が含まれる。ボタンはツメと固定されており、ツメとツメ車は両方とも中空の円筒形であり、ツメ車はツメの内側を貫通し、ツメ車の外周壁には少なくとも１つの傾斜面が設けられ、ツメの内周壁には傾斜面と合致する接触部が設置されている。スクリュー棒はツメ車の内側を貫通し、スクリュー棒の外壁は円形の雄ネジを備え、ナットはペン本体に固定され、ナットの内壁は円形の雌ネジを備えている。【選択図】図１
0003234225.tif 000002
【実用新案登録請求の範囲】
【請求項１】
円筒形のペン本体と、ペン本体の先端に取り付けられたペン先と、ペン本体の末端に取り付けられた少なくとも２組の作動機構とを含み、
各作動機構には、ボタン、ツメ、ツメ車、スクリュー棒、ナット、ピストンおよびスプリングが含まれ、前記ボタンとツメは固定されており、ツメとツメ車は両方とも中空の円筒形であり、前記ツメ車はツメの内側を貫通し、ツメ車の外周壁には少なくとも１つの傾斜面が設けられ、ツメの内周壁には傾斜面と合致する接触部が設けられ、前記スクリュー棒はツメ車を貫通し、前記スクリュー棒の外壁には円形の雄ネジを備え、前記ナットはペン本体に固定され、且つ、ナットの内壁は円形の雌ネジを備えており、前記スクリュー棒の上端がツメ車の外側に露出しているため、スクリュー棒の円形の雄ネジとナットの円形の雌ネジがはめあい、前記ピストンはスクリュー棒の上部ヘッドに取り付けられ、スプリングはナットとツメ車との間に隣接するように設置されていることを特徴とする多色プレス化粧ペンシル。
【請求項２】
前記ツメ車の内周壁が特殊な形状の内腔となっていることを特徴とする、請求項１に記載の多色プレス化粧ペンシル。
【請求項３】
前記ペン本体の上方にペン先ホルダーを設けており、前記ペン先はペン先ホルダーに部分的に埋め込まれており、且つ、部分的にペン先ホルダーの外側にも露出していることを特徴とする、請求項１に記載の多色プレス化粧ペンシル。
【請求項４】
前記ペン本体の上部にペン先を覆うペンキャップを設けており、前記ペンキャップの内周壁は雌ネジを備え、前記ペン先ホルダーの外壁は雄ネジを備え、ペンキャップの雌ネジとペン先ホルダーの雄ネジがはめあうことを特徴とする、請求項３に記載の多色プレス化粧ペンシル。
【請求項５】
また、テールプラグを設けており、前記テールプラグの上部はペン本体に接続され、前記テールプラグの下部はボタンを収納するための収納スペースを形成することを特徴とする、請求項１に記載の多色プレス化粧品ペンシル。
【請求項６】
前記ペン本体は、２つの液材装填管を備え、前記作動機構は、液材装填管の下に位置する２組の作動機構であり、前記２組の作動機構は左右に並べて配置され、前記ペン先にはそれに対応して２つの排出穴が設けられ、前記ボタンは２つであり、前記テールプラグの下部にもそれに対応して２つの収納スペースが配置されることを特徴とする、請求項５に記載の多色プレス化粧用ペンシル。
【請求項７】
前記ペン本体は４つの液材装填管を備え、作動機構は液材装填管の下に位置する４組の作動機構であり、前記４組の作動機構は、２つずつ左右に並べられ、且つ、２つずつ前後に並べて配置されており、前記ペン先には、それに対応して４つの排出穴があり、前記ボタンも４つであり、前記テールプラグの下方には、それに対応して収納スペースが４つ配置されることを特徴とする、請求項５に記載の多色プレス化粧用ペンシル。
【考案の詳細な説明】
【技術分野】
【０００１】
本考案は、化粧品の分野、特に多色プレス化粧ペンシルに関する。
【背景技術】
【０００２】
現在、メイクは人々の日常生活に欠かせないものになっている。例えば、粉末状、液体状、ペースト状など、多種多様な形態の化粧品がある。化粧品の使用を便利にするために、人々は一般にさまざまな化粧品を多様な形状に製造し、適切な容器の中に装填する。その中でも、リップスティック、リップクリーム、コンシーラー、スキンホワイトニングスティック、サンスクリーンスティックなど棒状の化粧品は、一般的に円筒形容器に装填するよう設計および製造されている。
【０００３】
市場に出回っている既存のリップペンシルは、一般的に単一色のリップペンシルであり、消費者の単一色のニーズを満たすためにのみ提供でき、消費者の多種多様なニーズを満たすためには、多くの異なる色のリップペンシルを準備する必要がある。しかし、多種多様な異なる色のリップペンシルを用意すると、間違いなく消費者の支出が増え、買い揃えるのも面倒となる。  
【考案の概要】
【考案が解決しようとする課題】
【０００４】
上記の欠点を克服するために、本考案は、先行技術の単一色リップペンシルにおける、機能が単一であるという問題点を解決する多色プレス化粧ペンシルを提供する。
【課題を解決するための手段】
【０００５】
その技術的問題点を解決するために、本考案が採用した技術的解決手段が多色プレス化粧ペンシルであり、円筒形のペン本体、ペン本体の先端に取り付けられたペン先、およびペン本体の末端に取り付けられた少なくとも２組の作動機構を含み、各作動機構には、ボタン、ツメ、ツメ車、スクリュー棒、ナット、ピストン、スプリングが含まれる。前記ボタンはツメと固定されており、ツメとツメ車は両方とも中空の円筒形であり、前記ツメ車はツメの内側に挿入され、ツメ車の外周壁には少なくとも１つの傾斜面が設けられ、ツメの内周壁には傾斜面と合致する接触部が設置されている。前記スクリュー棒はツメ車の内側を貫通するように設置され、前記スクリュー棒の外壁には円形の雄ネジが設置されている。前記ナットはペン本体に固定され、且つ、ナットの内壁は円形の雌ネジを備え、前記スクリュー棒の上端がツメ車の外側に露出しているため、スクリュー棒の円形の雄ネジがナットの円形の雌ネジとはめあい、前記ピストンはスクリュー棒の上端ヘッド部に取り付けられており、前記スプリングはナットとツメ車の間に隣接するように設置されている。
【０００６】
本考案の更なる改良点は、前記ツメ車の内周壁が特殊な形状の内腔になっている点である。
【０００７】
本考案の更なる改良点として、前記ペン本体の上方にペン先ホルダーを設けており、前記ペン先は部分的にペン先ホルダーに埋め込まれており、且つ、部分的にペン先ホルダーの外側に露出している。
【０００８】
本考案の更なる改良点として、前記ペン本体の上部にペン先を覆うペンキャップを設けており、前記ペンキャップの内周壁は雌ネジを備え、前記ペン先ホルダーの外壁は雄ネジを備え、ペンキャップの雌ネジとペン先ホルダーの雄ネジがはめあう。
【０００９】
本考案の更なる改良点として、またテールプラグを設けており、前記テールプラグの上部はペン本体に接続され、前記テールプラグの下部は、ボタンを収納するための収納スペースを形成する。
【００１０】
本考案の更なる改良点としては、前記ペン本体は２つ液材装填管を設けており、前記作動機構は、液材装填管の下に位置する２組の作動機構であり、前記２組の作動機構は左右に並べて配置される。前記ペン先には、それに対応して２つの排出穴が設けられ、前記ボタンは２つであり、それに対応して前記テールプラグの下部にも２つの収納スペースが配置されている。
【００１１】
本考案の更なる改良点として、前記ペン本体が４つの液材装填管を設け、作動機構は、液材装填管の下に位置する４組の作動機構であり、前記４組の作動機構は、左右に２つずつ並べられ、且つ、前後にも２つずつ並べて配置される。前記ペン先には、それに対応して４つの排出穴があり、前記ボタンも４つであり、前記テールプラグの下方には、それに対応して収納スペースも４つ配置される。
【考案の効果】
【００１２】
本考案の多色プレス化粧ペンシルは、ペン本体の末端に設置された少なくとも２組の作動機構によって様々な異なる色を一本に集め、異なる作動機構によって異なる色が押し出されることを実現する。これによって、従来の単一色リップペンシルの技術における機能が単一である問題点を解決する。
【図面の簡単な説明】
【００１３】
【図１】本考案における多色プレス化粧ペンシルの組立図である。
【図２】図１の作動機構の拡大概略図である。
【図３】本考案における多色プレス化粧ペンシルの第一使用状態の概略図である。
【図４】本考案における多色プレス化粧ペンシルの第二使用状態の概略図である。
【図５】本考案における多色プレス化粧ペンシルのペン本体の斜視図である。
【図６】本考案における多色プレス化粧ペンシルのペン先の斜視図である。
【図７】本考案における多色化粧ペンシルのボタンの斜視図である。
【図８】本考案における多色プレス化粧ペンシルのツメの斜視図である。
【図９】本考案における多色プレス化粧ペンシルのツメ車の斜視図である。
【図１０】本考案における多色プレス化粧ペンシルのスクリュー棒の斜視図である。
【図１１】本考案における多色プレス化粧ペンシルのナットの斜視図である。
【図１２】本考案における多色プレス化粧ペンシルのピストンの斜視図である。
【図１３】本考案における多色プレス化粧ペンシルのスプリングの斜視図である。
【図１４】本考案における多色プレス化粧ペンシルのペン先ホルダーの斜視図である。
【図１５】本考案における多色プレス化粧ペンシルのペンキャップの斜視図である。
【図１６】本考案における多色プレス化粧ペンシルのテールプラグの斜視図である。
【考案を実施するための形態】
【００１４】
図１〜図１６を参照されたい。多色プレス化粧ペンには、円筒形のペン本体１、ペン本体１の先端に取り付けられたペン先２、およびペン本体１の末端に取り付けられた少なくとも２組の作動機構が含まれる。各作動機構には、ボタン３、ツメ４、ツメ車５、スクリュー棒６、ナット７、ピストン８およびスプリング９が含まれる。前記ボタン３とツメ４は固定されており、ツメ４とツメ車５は両方とも中空で円筒形で、前記ツメ車５はツメ４の内側に挿入され、ツメ車５の外周壁には少なくとも１つの傾斜面５１を備えており、ツメ４の内周壁には傾斜面５１と合致する隣接部（図示せず）を備えている。前記スクリュー棒６はツメ車５の内側を貫通し、前記スクリュー棒６の外壁は円形の雄ネジを備え、前記ナット７はペン本体１に固定され、且つ、ナット７の内壁は円形の雌ネジを備えており、前記スクリュー棒６の上端がツメ車５の外に露出しているため、スクリュー棒の円形の雄ネジとナット７の円形の雌ネジがはめあう。前記ピストン８はスクリュー棒６の上部ヘッド部に取り付けられ、前記スプリング９はナット７とツメ車５との間に隣接するように設置されている。
【００１５】
図９および図１０を参照されたい。前記ツメ車５の内周壁は特殊な形状の内腔となっている。前記スクリュー棒６の外壁は円形の雄ネジになっており、ツメ車５の内周壁は特殊な形状（非円形）の内腔である。このため、ツメ車５が回転すると、スクリュー棒６を特定の角度に連動して回転させ、スクリュー棒６が特定の角度で回転する過程で、円形の雄ネジと円形の雌ネジがはめあいながら駆動することにより螺旋状に上昇する。
【００１６】
図１および図１４を参照されたい。前記ペン本体１の上方にペン先ホルダー１０を備えており、ペン先２は部分的にペン先ホルダー１０に埋め込まれており、且つ、部分的にペン先ホルダー１０の外側に露出している。すなわち、ペン先２はペン先ホルダー１０を介してペン本体１に接続されている。
【００１７】
図１および図１５を参照されたい。前記ペン本体１の上方には、ペン先２を覆うペンキャップ１１を備え、前記ペンキャップ１１の内周壁は雌ネジを備え、前記ペン先ホルダー１０の外壁は雄ネジを備え、ペンキャップ１１の雌ネジとペン先ホルダー１０の雄ネジがはめあう。すなわち、前記ペンキャップ１１は、ペン先ホルダー１０にロックされてペン先２を覆い、ペン先２を保護する機能がある。
【００１８】
図１および図１６を参照されたい。本考案は、またテールプラグ１２を備え、前記テールプラグ１２の上部はペン本体１に接続され、前記テールプラグ１２の下部はボタン３を収納するための収納スペース１２０を形成する。テールプラグ１２の機能は、ボタン３を格納し、且つ、ペン本体１に接続して一体の外観を形成することである。
【００１９】
図１および図１６を参照されたい。本考案の第１の実施形態は、２色プレス化粧品ペンである。前記ペン本体は、２つの液材装填管１３を備え、前記作動機構は、液材装填管１３の下に位置する２組の作動機構であり、前記２組の作動機構は左右に並べて配置され、前記ペン先２には、それに対応して２つの排出穴１４が設けられ、前記ボタン３も２つあり、それに対応して前記テールプラグ１２の下部にも２つの収納スペース１２０が配置されている。
【００２０】
本考案の第２の実施形態が４色プレス化粧品ペンであることは想像に難くない。前記ペン本体１は４つの液材装填管１３を備え、作動機構は液材装填管１３の下に位置する４組の作動機構である。前記４組の作動機構は、左右に２つずつ並べられ、且つ、前後にも２つずつ並べて配置される。前記ペン先２には、対応して４つの排出穴があり、前記ボタン２も４つあり、前記テールプラグ１２の下方には、それに対応して収納スペース１２０も４つ配置される。
【００２１】
本考案における多色プレス化粧ペンの動作原理は、使用者がボタン３を押し、ボタン３がツメ４を駆動して前方に圧迫すると、ツメ４がツメ車５を押して前方に移動すると同時に、ツメ車５は先端の傾斜面５１を通ってねじれ回転する。ツメ車５が回転すると、スクリュー棒６が特定の角度に連動して回転し、前記スクリュー棒６は、自身の雄ネジとナット７の雌ネジがはめあいながら駆動することにより螺旋状に回転して上昇する。スクリュー棒６はピストン８を前方に押し、ピストン８が液材本体１５を押して液材が押し出される。液材の押し出し過程で、スプリング９は圧縮されて弾性力を持ち、使用者が手を緩めると、スプリング９の弾性力が解放される。ナット７はペン本体１に固定されているため、作動機構の残りの部分（ボタン３、ツメ４、ツメ車５、スクリュー棒６、ピストン８およびスプリング９）はすべて、スプリング９の弾性力の作用下で最初の位置に復元される。
【００２２】
本考案の多色プレス化粧ペンは、少なくとも２組の作動機構を有し、それぞれが異なる液材装填管１３内の液材を押し出して排出し、各作動機構は、互いに独立しており、液材は液材装填管１３でそれぞれに分離している。これにより、本考案の多色プレス化粧ペンは、左側のボタン３を押すことにより左側の排出穴１４から排出することができ、また右側のボタン３を押すことにより右側の排出穴１４から排出することができる。左側の排出穴１４は１つの色の液材本体１５を排出し、右側の排出穴１４は別の色の液材本体１５を排出する。消費者は自分の好みに応じて、１つの色を単独で使用することもできるし、或いは、少なくとも２回排出して自分が欲しい効果的な色合いに調合して使用することもできる。
【符号の説明】
【００２３】
上記の図面を参照して、以下のとおり補足説明を行う。
１  −−−  ペン本体    ２  −−−  ペン先
３  −−−  ボタン      ４  −−−  ツメ
５  −−−  ツメ車      ６  −−−  スクリュー棒
７  −−−  ナット      ８  −−−  ピストン
９  −−−  スプリング  １０  −−−  ペン先ホルダー
１１  −−−  ペンキャップ    １２  −−−  テールプラグ
１３  −−−  液材装填管  １４  −−−  排出穴
１２０  −−−  収納スペース    ５１  −−−  傾斜面
１５  −−−  液材本体  
【図１】
0003234225.tif 000003
【図２】
0003234225.tif 000004
【図３】
0003234225.tif 000005
【図４】
0003234225.tif 000006
【図５】
0003234225.tif 000007
【図６】
0003234225.tif 000008
【図７】
0003234225.tif 000009
【図８】
0003234225.tif 000010
【図９】
0003234225.tif 000011
【図１０】
0003234225.tif 000012
【図１１】
0003234225.tif 000013
【図１２】
0003234225.tif 000014
【図１３】
0003234225.tif 000015
【図１４】
0003234225.tif 000016
【図１５】
0003234225.tif 000017
【図１６】
0003234225.tif 000018